(57)【要約】【課題】施工者の技量に関わらず、排水性の良好な建物の外壁構造を提供すること。【解決手段】窯業サイディングのパネル３０が取り付けられる建物１００の外壁３の入隅部１０において、隣接するパネル３０の間に上下方向に延びるように配置され、隣接するパネル３０同士を接続する入隅ジョイナー２と、入隅ジョイナー２の下方に配置される排水部材４と、を備え、入隅ジョイナー２は、パネル３０の裏面と、パネル３０が取り付けられる建物１００の取り付け面との間に、下方に通気又は通水可能に配置され、排水部材４は、入隅ジョイナー２の延びる方向に沿って配置されるガイド部４０、及びガイド部４０の下端に配置され、ガイド部４０から外壁３の屋外側表面に向かって延出する排水部４４を有する、建物外壁の排水構造１である。【選択図】図２
2020016075.tif 000002
【特許請求の範囲】
【請求項１】
窯業サイディングのパネルが取り付けられる建物の外壁の入隅部において、
隣接する前記パネルの間に上下方向に延びるように配置され、隣接する前記パネル同士を接続する入隅ジョイナーと、
前記入隅ジョイナーの下方に配置される排水部材と、を備え、
前記入隅ジョイナーは、前記パネルの裏面と、前記パネルが取り付けられる前記建物の取り付け面との間に、下方に通気又は通水可能に配置され、
前記排水部材は、前記入隅ジョイナーの延びる方向に沿って配置されるガイド部、及び前記ガイド部の下端に配置され、前記ガイド部から前記外壁の屋外側表面に向かって延出する排水部を有する、建物外壁の排水構造。
【請求項２】
前記排水部は、前記パネル側から前記外壁の屋外側表面に向かうに従って下方に傾斜している、請求項１に記載の建物外壁の排水構造。
【請求項３】
前記入隅ジョイナーは、前記入隅部を介して隣接する一方の外壁に沿う第１側面と、他方の外壁に沿う第２側面と、前記第１側面及び前記第２側面を接続する接続部とを有し、
前記ガイド部は、前記第１側面に沿うガイド部第１側面と、前記第２側面に沿うガイド部第２側面と、を有し、
前記排水部は、前記ガイド部第１側面及び前記ガイド部第２側面それぞれの下端部を繋ぎ前記入隅部の屋外側へ延出する面により構成される、請求項１又は２に記載の建物外壁の排水構造。
【請求項４】
前記ガイド部は、前記ガイド部第１側面及び前記ガイド部第２側面それぞれの下端部から、前記排水部の下方に延出する延出部を有する、請求項３に記載の建物外壁の排水構造。
【発明の詳細な説明】
【技術分野】
【０００１】
本発明は、建物外壁の排水構造に関する。
【背景技術】
【０００２】
従来、窯業サイディング等のパネルを接合して建物の外壁を形成する場合、入隅部で左右に隣接するパネルとパネルを接合するために、上下方向に延びる入隅ジョイナーを用いることが知られている。入隅ジョイナーは、パネルの左右方向の端部の裏側に配置され、パネルが取り付けられる建物の取り付け面とパネルとの間に配置される。パネルと、パネルが取り付けられる取り付け面との間には、入隅ジョイナーが配置される空間が形成され、通気及び通水が可能である（例えば、特許文献１参照）。
【先行技術文献】
【特許文献】
【０００３】
【特許文献１】特開２０１３−２４１７３５号公報
【発明の概要】
【発明が解決しようとする課題】
【０００４】
ところで、建物の外壁には、建物にバルコニーや窓等が配置されることがある。外壁を構成するパネルは、外壁の形状に合わせて切断される。入隅ジョイナーは、通常建物の上下方向に連続して接合されているが、外壁の形状が変わる位置で、入隅ジョイナーが部分的に途切れることがある。このような場合に、入隅ジョイナーが配置される空間を通過した雨水が、入隅ジョイナーの途切れた部分で、パネルの裏面や躯体との接合部等へ回り込む懸念があった。また、雨水を屋外側へ排水できるか否かが、入隅ジョイナーの施工者の技量によって変化する場合もあった。そこで、入隅ジョイナーを用いてパネル同士を接合する場合に、施工者の技量に関わらず、雨水を排水可能な排水構造が求められていた。
【課題を解決するための手段】
【０００５】
本発明は、窯業サイディングのパネル（例えば、後述のパネル３０）が取り付けられる建物（例えば、後述の建物１００）の外壁（例えば、後述の外壁３）の入隅部（例えば、後述の入隅部１０）において、隣接する前記パネルの間に上下方向に延びるように配置され、隣接する前記パネル同士を接続する入隅ジョイナー（例えば、後述の入隅ジョイナー２）と、前記入隅ジョイナーの下方に配置される排水部材（例えば、後述の排水部材４）と、を備え、前記入隅ジョイナーは、前記パネルの裏面と、前記パネルが取り付けられる前記建物の取り付け面との間に、下方に通気又は通水可能に配置され、前記排水部材は、前記入隅ジョイナーの延びる方向に沿って配置されるガイド部（例えば、後述のガイド部４０）、及び前記ガイド部の下端に配置され、前記ガイド部から前記外壁の屋外側表面に向かって延出する排水部（例えば、後述の排水部４４）を有する、建物外壁の排水構造（例えば、後述の建物外壁の排水構造１）に関する。
【０００６】
前記排水部は、前記パネル側から前記外壁の屋外側表面に向かうに従って下方に傾斜していることが好ましい。
【０００７】
前記入隅ジョイナーは、前記入隅部を介して隣接する一方の外壁に沿う第１側面（例えば、後述の第１側面２１）と、他方の外壁に沿う第２側面（例えば、後述の第２側面２２）と、前記第１側面及び前記第２側面を接続する接続部（例えば、後述の接続部２３）とを有し、前記ガイド部は、前記第１側面に沿うガイド部第１側面（例えば、後述のガイド部第１側面４１）と、前記第２側面に沿うガイド部第２側面（例えば、後述のガイド部第２側面４２）と、を有し、前記排水部は、前記ガイド部第１側面及び前記ガイド部第２側面それぞれの下端部を繋ぎ前記入隅部の屋外側へ延出する面により構成されることが好ましい。
【０００８】
前記ガイド部は、前記ガイド部第１側面及び前記ガイド部第２側面それぞれの下端部から、前記排水部の下方に延出する延出部（例えば、後述の延出部４６）を有することが好ましい。
【発明の効果】
【０００９】
本発明によれば、施工者の技量に関わらず、排水性の良好な建物の外壁構造を提供することができる。
【図面の簡単な説明】
【００１０】
【図１】本実施形態の建物外壁の排水構造を示す斜視図である。
【図２】本実施形態の建物外壁の排水構造の平面図である。
【図３】本実施形態の入隅ジョイナーの斜視図である。
【図４】本実施形態の入隅ジョイナーの平面図である。
【図５】本実施形態の排水部材の斜視図であり、（ａ）図は、表面側斜視図、（ｂ）図は側面側斜視図である。
【図６】本実施形態の排水部材を示し、（ａ）図は、平面図、（ｂ）図は、ガイド部第２側面側から見た側面図、（ｃ）図は、ガイド部第１側面側から見た側面図である。
【発明を実施するための形態】
【００１１】
以下、本発明の実施形態について、図面を参照しながら詳細に説明する。図１は、本実施形態の建物外壁の排水構造１の斜視図である。図１に示すように、建物外壁の排水構造１は、建物１００のバルコニー１０１の外壁３とバルコニー１０１に隣接する外壁３との間の入隅部１０に形成される。
建物１００は、バルコニー１０１と、入隅部１０と、躯体１１と、外壁３と、入隅ジョイナー２と、排水部材４と、を有する。
バルコニー１０１は、建物１００の壁面から屋外側に突出する張り出し部分である。
入隅部１０は、建物１００の外壁３の所定の一面と、この一面から略直交する方向に延びるバルコニー１０１の屋内外方向の外壁３との間に形成されている。
【００１２】
図２は、本実施形態の建物外壁の排水構造１の平面図である。説明の便宜のため、各部の縮尺は変更している。
躯体１１は、建物１００の柱等の構造部であり、図２では、入隅部１０の屋内側に配置されている。躯体１１の屋外側には、補助下地材１４が取り付けられ、さらに補助下地材１４の屋外側に防水シート１６を介して縦胴縁１５が上下方向に延びるように取り付けられる。縦胴縁１５は、パネル３０を取り付ける取り付け面となっている。
内装材１２は、躯体１１の屋内側に配置され、内壁を構成する。建物１００の室内に面する内装材１２の屋外側面には、グラスウール、ロックウール等の断熱材１３が配置されている。
【００１３】
外壁３は、窯業サイディングのパネル３０が取り付けられることで形成される。外壁３は、躯体１１を間に挟んで内装材１２の屋外側に配置される。
パネル３０は、略長方形の板状の外壁材であり、躯体１１の屋外側で、縦胴縁１５に固定される。パネル３０は、上下左右を隣接するパネル３０と嵌合させて組み合わせることにより、外壁３を形成する。
【００１４】
図３は、入隅ジョイナー２の斜視図であり、図４は平面図である。
入隅ジョイナー２は、入隅部１０に配置されて上下方向に延びる目地ジョイナーである。入隅ジョイナー２は、バルコニー１０１の屋内外側方向に延びる外壁３を構成するパネル３０と、バルコニー１０１に隣接する壁面の外壁３を構成するパネル３０との間に配置され、パネル３０同士を接続する。入隅ジョイナー２は、図２に示すように、パネル３０の裏面（屋内側面）と躯体１１との間に配置され、縦胴縁１５に取り付けられる。
【００１５】
入隅ジョイナー２は、図２〜図４に示されるように、平面視で略Ｍ字型に屈曲する長尺の板部材である。入隅ジョイナー２は、パネル３０の裏面（屋内側面）と、パネル３０が取り付けられる縦胴縁１５との間に通気・通水空間Ｒ１を有して配置される。入隅ジョイナー２は、第１側面２１と、第２側面２２と、接続部２３と、折り返し部２４と、パッキン材２５と、を有する。
【００１６】
図３に示すように、第１側面２１は、入隅部１０を介して隣接する一方の外壁３であるバルコニー１０１の外壁３に沿う平坦な面である。第２側面２２は、入隅部１０を介して隣接する他方の外壁３であるバルコニー１０１に隣接する壁面の外壁３に沿う平坦な面である。
【００１７】
接続部２３は、第１側面２１と第２側面２２とを接続し、入隅ジョイナー２の幅方向の略中央部に配置される部分である。接続部２３は、平面視で屋外側に突出するように屈曲する。接続部２３は、図２に示すように、外壁３を構成するパネル３０の小口を受ける部分であり、屋外側に突出する頂部２３ａの一方側の面２３ｂが第１側面２１に配置されたパネル３０の小口を受け、頂部２３ａの他方側の面２３ｃが第２側面２２に配置されたパネル３０の小口を受けるように配置されている。
【００１８】
折り返し部２４は、第１側面２１及び第２側面２２の幅方向の外側端部が折り返され、第１側面２１及び第２側面２２に対向するように延びる部分である。折り返し部２４は、その屋外側の面がパネル３０の屋内側の面に対向するように取り付けられる。
【００１９】
パッキン材２５は、第１側面２１及び第２側面２２と同じ長さを有する長尺の部材であり、ゴムや樹脂等の弾性を有する素材で形成される。パッキン材２５は、第１側面２１の屋外側面で、接続部２３の一方側の面２３ｂとの境界近傍に配置される。また、パッキン材２５は、第２側面２２の屋外側面で、接続部２３の他方側の面２３ｃとの境界近傍に配置される。パッキン材２５は、パネル３０の屋内側の面に当接する。
【００２０】
図５は、排水部材４の斜視図であり、（ａ）図は、表面側斜視図、（ｂ）図は側面側斜視図である。また、図６（ａ）は、排水部材４の平面図であり、図６（ｂ）は、第２側面２２から見た側面図、図６（ｃ）は第１側面２１から見た側面図を示す。
図５に示すように、排水部材４は、入隅ジョイナー２と同様に平面視で略Ｍ字型の形状を有し、入隅ジョイナー２の下方に配置され、入隅ジョイナー２の下端部に接着可能な部材である。排水部材４は、ガイド部４０と、排水部４４と、延出部４６と、を有する。
【００２１】
ガイド部４０は、入隅ジョイナー２の延びる方向に沿って配置される縦長の部分である。ガイド部４０は、ガイド部第１側面４１と、ガイド部第２側面４２と、ガイド部接続部４３と、を有する。ガイド部４０は、入隅ジョイナー２を伝う雨水や空気等を下方へ案内する。
【００２２】
ガイド部第１側面４１は、図２に示すように、排水部材４が入隅ジョイナー２に接合された状態で、入隅ジョイナー２の第１側面２１に沿って延び、入隅ジョイナー２の屋内側に重ねられるように配置される平坦な面である。
【００２３】
ガイド部第２側面４２は、排水部材４が入隅ジョイナー２に接合された状態で、入隅ジョイナー２の第２側面２２に沿って延び、入隅ジョイナー２の屋内側に重ねられるように配置される平坦な面である。
【００２４】
ガイド部接続部４３は、排水部材４が入隅ジョイナー２に接合された状態で、入隅ジョイナー２の接続部２３の屋内側に重ねられるように配置される。ガイド部接続部４３は、平面視で屋外側に突出するように屈曲する。ガイド部接続部４３は、図２に示すように、屋外側に突出する頂部４３ａの一方側の面４３ｂが、入隅ジョイナー２の第１側面２１の一方側の面２３ｂに重なり、頂部４３ａの他方側の面４３ｃは、入隅ジョイナー２の第２側面２２の他方側の面２３ｃに対向するように配置されている。図２に示すように、ガイド部接続部４３の他方側の面４３ｃと入隅ジョイナー２の第２側面２２の他方側の面２３ｃの間には隙間が開いているが、この隙間は、複数の種類の寸法の入隅ジョイナー２に、一つの排水部材４を重ねられるように寸法を調整可能にしているためである。
【００２５】
ガイド部折り返し部４５は、ガイド部第１側面４１及びガイド部第２側面４２の幅方向の外側端部が折り返され、ガイド部第１側面４１及びガイド部第２側面４２に対向するように延びる部分である。ガイド部折り返し部４５は、入隅ジョイナー２の折り返し部２４よりも幅が広い。ガイド部折り返し部４５は、その屋外側の面がパネル３０の屋内側の面に直接当接するように取り付けられる。
【００２６】
排水部４４は、ガイド部４０の下端に配置され、ガイド部４０から外壁３の屋外側表面向かって延出する。詳細には、排水部４４は、ガイド部第１側面４１、ガイド部第２側面４２、ガイド部接続部４３及びガイド部折り返し部４５の下端から、これらに交差する方向に延びる。排水部４４は、図５（ａ）、図６（ｂ）及び図６（ｃ）に示されるように、ガイド部第１側面４１とガイド部第２側面４２それぞれの下端部を繋ぐとともに略水平方向に延び、平面視略台形形状の板面により構成される。
【００２７】
延出部４６は、ガイド部第１側面４１及びガイド部第２側面４２それぞれの下端部から連続して排水部４４の下方に延出する面である。延出部４６は、ガイド部第１側面４１の下端から延びる第１延出部４６１及びガイド部第２側面４２の下端から延びる第２延出部４６２を有する。
第１延出部４６１及び第２延出部４６２は、それぞれガイド部第１側面４１及びガイド部第２側面４２の下端からガイド部接続部４３の裏側まで延びて、互いが交差する位置で接続される。第１延出部４６１及び第２延出部４６２は、略直交する角度で接続されており、第１延出部４６１及び第２延出部４６２が接続される位置は、ガイド部接続部４３の頂部４３ａの対角線上に位置する。第１延出部４６１及び第２延出部４６２が略直交する角度で接続されることで、排水部材４の形状が安定し強度が向上する。
【００２８】
排水部材４は、入隅ジョイナー２の下端部の屋内側面に重ねられ、ホットメルト接着剤により接着される。具体的には入隅ジョイナー２の第１側面２１の屋内側にガイド部第１側面４１が、入隅ジョイナー２の第２側面２２の屋内側にガイド部第２側面４２が重ねられて接着される。このとき、ガイド部折り返し部４５は、入隅ジョイナー２の折り返し部２４を覆うように屋外側に重ねられる。
【００２９】
なお、図２に示すように、入隅ジョイナー２のパッキン材２５の屋外側面と、排水部材４のガイド部折り返し部４５の屋外側面とが、パネル３０の屋内側面に当接する。すると、パッキン材２５の屋外側面及びガイド部折り返し部４５の屋外側面と、パネル３０の屋内側面との間に小さな通気・通水空間Ｒ２が形成される。なお、この通気・通水空間Ｒ２には、入隅ジョイナー２の第１側面２１及び第２側面２２を縦胴縁１５に固定するねじのねじ頭（図示省略）が配置される。
【００３０】
次に、排水部材４の使用の状態について説明する。
建物１００の壁面に入隅部１０が形成される場合、入隅部１０を介して左右方向に隣接する一方の外壁３のパネル３０と、他方の外壁３のパネル３０とを接続する入隅ジョイナー２が切断される場合がある。図１の例では、バルコニー１０１の屋内外方向に延びる外壁３のパネル３０と、バルコニー１０１に隣接する壁面を構成する外壁３のパネル３０との間に入隅ジョイナー２が配置され、バルコニー１０１の下端で入隅ジョイナー２が切断されている。
【００３１】
入隅ジョイナー２は、その第１側面２１及び第２側面２２が、パネル３０とともに縦胴縁１５に取り付けられる。
また、排水部材４は、入隅ジョイナー２の下端の屋内外の表面に、入隅ジョイナー２を覆うように接着される。排水部材４のガイド部４０は、入隅ジョイナー２の長手方向に沿って延び、排水部４４がガイド部４０から外壁３の屋外側表面に向かって延出している。このため、通気・通水空間Ｒ１内で入隅ジョイナー２を伝い落ちる雨水は、排水部４４で受け止められて、屋外側へ排水される。
【００３２】
また、入隅ジョイナー２の第１側面２１、第２側面２２及び排水部材４のガイド部第１側面４１及びガイド部第２側面４２を伝い、パッキン材２５とパネル３０の屋内側面との間の通気・通水空間Ｒ２を流れる雨水も、排水部４４に受け止められる。
また、延出部４６は、排水部４４から屋外側に排水される雨水が、入隅部１０の屋内側に入りこむことを防止する。
【００３３】
本実施形態によれば、以下の効果が奏される。
本実施形態では、建物外壁の排水構造１を、窯業サイディングのパネル３０が取り付けられる建物１００の外壁３の入隅部１０において、隣接するパネル３０の間に上下方向に延びるように配置され、隣接するパネル３０同士を接続する入隅ジョイナー２と、入隅ジョイナー２の下方に配置される排水部材４と、を含んで構成した。また、入隅ジョイナー２を、パネル３０の裏面と、パネル３０が取り付けられる建物１００の取り付け面との間に、下方に通気又は通水可能に配置した。また、排水部材４を、入隅ジョイナー２の延びる方向に沿って配置されるガイド部４０、及びガイド部４０の下端に配置され、ガイド部４０から外壁３の屋外側表面に向かって延出する排水部４４を含んで構成した。
建物１００にバルコニー１０１や窓を設けたり、又は建物１００内部の間取りの都合等により、外壁３の形状が変化する部分の入隅部１０で、外壁３のパネル３０を切断し、入隅ジョイナー２を切断して配置する場合がある。このような場合に、入隅ジョイナー２の下方に外壁３の屋外側表面に向かって延出する排水部４４を有する排水部材４を配置した。入隅ジョイナー２は、パネル３０の裏面と建物１００におけるパネル３０の取り付け面との間に上下方向に延びている。このため、入隅ジョイナー２を伝って流れ落ちる雨水を排水部４４で受け止めて屋外側へ排水することが可能になり、排水性の良好な建物の外壁構造を提供することができる。また、入隅ジョイナー２に排水部材４を取り付けるだけで良好な排水性が得られるので、パネル３０を施工する施工者の技量に影響されずに排水性を向上させることができる。
【００３４】
本実施形態では、入隅ジョイナー２を、入隅部１０を介して隣接する一方の外壁３に沿う第１側面２１と、他方の外壁３に沿う第２側面２２と、第１側面２１及び第２側面２２を接続する接続部２３とを含んで構成した。また、ガイド部４０を、第１側面２１に沿うガイド部第１側面４１と、第２側面２２に沿うガイド部第２側面４２と、を含んで構成し、排水部４４を、ガイド部第１側面４１及びガイド部第２側面４２それぞれの下端部を繋ぎ入隅部１０の屋外側へ延出する面により構成した。
排水部材４のガイド部第１側面４１を入隅ジョイナー２の第１側面２１に沿って配置し、排水部材４のガイド部第２側面４２を入隅ジョイナー２の第２側面２２に沿って配置することで、排水部４４がガイド部４０の下端部から繋がって屋外側へ延出するので、簡単な取付により入隅部１０の排水が実現でき、上記と同様の効果を奏する。
【００３５】
本実施形態では、ガイド部４０を、ガイド部第１側面４１及びガイド部第２側面４２それぞれの下端部から、排水部４４の下方に延出する延出部４６を含んで構成した。延出部４６が排水部４４の下方に延びているので、排水部４４から流れ落ちた雨水が入隅部１０側へ入り込むことを防止することができる。
【００３６】
以上、本発明の好ましい実施形態について説明したが、本発明は、上述の実施形態に制限されるものではなく、適宜変更が可能である。
例えば、上記実施形態では、排水部４４は略水平方向に屋内側から屋外側へ延びているが、これに限られない。排水部４４をパネル３０側から外壁３の屋外側表面に向かうに従って下方に傾斜させてもよい。排水部４４を下り傾斜させることで、水がスムーズに屋外側へ導かれるため、排水性が向上する。
【００３７】
また、上記実施形態では、建物１００の壁面とバルコニー１０１の屋内外方向に延びる壁面との間の入隅部１０に入隅ジョイナー２を設ける場合を例に説明したが、これに限られない。入隅ジョイナー２は、例えば、窓等の開口部が設けられる壁面と、この壁面に交差する方向に延びる壁面等との間に設けられてもよい。窓等の開口部が配置される入隅部の場合、横枠や横框等の略水平方向に延びて屋内外方向に突出する構造物が配置される。このため、外壁３を構成するパネル３０が、構造物に至る位置で切断される。入隅部１０で、外壁３の一方のパネル３０及び外壁３の他方のパネル３０がそれぞれ切断されたときに、施工時の誤差でそれぞれのパネル３０長さが合わない場合がある。
このような場合に、入隅ジョイナー２の下端部に排水部材４を配置すると、排水部４４から下方に延びる延出部４６が、パネル３０の下端から横枠や横框等の構造物までの隙間を埋めることができる。延出部４６は、下端を切断することも可能なので、パネル３０の下端から横枠や横框等の構造物までの隙間に合わせて長さを調節することもできる。排水部４４及び延出部４６は、入隅ジョイナー２の端部キャップとしての役割を果たす。排水部材４は、入隅部１０で接続される外壁３のパネル３０の長さが異なった場合に、長さが異なることをカムフラージュするため、入隅部１０の意匠性も向上する。
【符号の説明】
【００３８】
１      建物外壁の排水構造
２      入隅ジョイナー
３      外壁
４      排水部材
１０    入隅部
２１    第１側面
２２    第２側面
２３    接続部
３０    パネル
４０    ガイド部
４１    ガイド部第１側面
４２    ガイド部第２側面
４４    排水部
４６    延出部
【図１】
2020016075.tif 000003
【図２】
2020016075.tif 000004
【図３】
2020016075.tif 000005
【図４】
2020016075.tif 000006
【図５】
2020016075.tif 000007
【図６】
2020016075.tif 000008